(57)【要約】【課題】ディスクの表面にラベルとして印刷するのに最適な画像を自動的に抽出することができる画像処理装置、その制御方法、プログラム、及び記憶媒体を提供する。  【解決手段】画像処理装置２０は、動画再生回路２２、顔検出回路２３、制御＆判定回路２４、及び画像抽出処理回路２６を備える。顔検出回路２３は、動画像の中から被写体である人物の顔を検索し、検索したフレームのフレームナンバー、及びそのフレームに含まれる被写体である人物の顔の大きさを示すパラメータを制御＆判定回路２４へ出力する。制御＆判定回路２４は、フレームの主役の顔が一定値より大きいときは、動画再生回路２２を制御し、そのフレームが存在するフレームの前後数フレームを検索する。主役の顔が外円から内円の範囲にあり且つ他の顔が同時に外円から内円の範囲にあるときは、画像抽出処理回路２６を制御してそのフレームをラベル印刷用の画像として抽出する。【選択図】図２
2010161622.tif 000002
【特許請求の範囲】
【請求項１】
複数のフレームからなる動画像から円形の記録媒体のための印刷データを生成する画像処理装置において、
前記動画像の前記複数のフレームから被写体の位置が前記円形の記録媒体の印刷可能な範囲にあるフレームを抽出する抽出手段と、
前記抽出されたフレームから前記印刷可能な範囲の画像を切り出す切り出し手段とを備えることを特徴とする画像処理装置。
【請求項２】
前記抽出手段は、前記被写体の位置及び他の被写体の位置が同時に印刷可能な範囲にあるフレームを抽出することを特徴とする請求項１記載の画像処理装置。
【請求項３】
前記被写体は人物の顔であることを特徴とする請求項１又は２記載の画像処理装置。
【請求項４】
前記抽出手段は、前記顔の位置が前記印刷可能な範囲の中心より上にあるフレームを抽出することを特徴とする請求項３記載の画像処理装置。
【請求項５】
前記抽出手段は、前記顔の表情が笑顔であるフレームを抽出することを特徴とする請求項３又は４記載の画像処理装置。
【請求項６】
前記切り出し手段は、前記抽出されたフレームから前記顔の位置が前記印刷可能な範囲の中心より上に配置されるように画像を切り出すことを特徴とする請求項３乃至５のいずれか１項に記載の画像処理装置。
【請求項７】
複数のフレームからなる動画像から円形の記録媒体のための印刷データを生成する画像処理装置の制御方法において、
前記動画像の前記複数のフレームから被写体の位置が前記円形の記録媒体の印刷可能な範囲にあるフレームを抽出する抽出ステップと、
前記抽出されたフレームから前記印刷可能な範囲の画像を切り出す切り出しステップとを備えることを特徴とする制御方法。
【請求項８】
複数のフレームからなる動画像から円形の記録媒体のための印刷データを生成する画像処理装置の制御方法をコンピュータに実行させるプログラムにおいて、前記制御方法は、
前記動画像の前記複数のフレームから被写体の位置が前記円形の記録媒体の印刷可能な範囲にあるフレームを抽出する抽出ステップと、
前記抽出されたフレームから前記印刷可能な範囲の画像を切り出す切り出しステップとを備えることを特徴とするプログラム。
【請求項９】
請求項８記載のプログラムを格納することを特徴とするコンピュータで読み取り可能な記憶媒体。
【発明の詳細な説明】
【技術分野】
【０００１】
本発明は、画像処理装置、その制御方法、プログラム、及び記憶媒体に関し、特に、動画像からディスクのラベルとして最適な画像を抽出する画像処理装置、その制御方法、プログラム、及び記憶媒体に関する。
【背景技術】
【０００２】
従来、ＣＤ−ＲＯＭやＤＶＤなどのディスクに記録された画像の内容を、そのディスクの表面にラベルとして印刷し、ディスクに記録された内容を判別しやすくする技術が開示されている（例えば、特許文献１参照）。
【０００３】
また、デジタルカメラなどで撮影した映像からディスクにラベルとして印刷するための静止画像をユーザーが選び、ディスクの外周から内周の範囲に合わせて静止画像をトリミングする機能がＰＣ上のアプリとして提供されている。
【０００４】
さらに、ディスクの外周から内周の範囲に合わせて印刷すべき画像を自動的にトリミングする技術が開示されている（例えば、特許文献２参照）。特許文献２では、ディスクに印刷すべき画像に含まれる被写体である人物の顔の部分が、ディスクの内円の中、即ちディスクの孔の部分に配置されないようにトリミングする手法が開示されている。
【先行技術文献】
【特許文献】
【０００５】
【特許文献１】特開平１１−８６５０５号公報
【特許文献２】特開２００７−５８９３４号公報
【発明の概要】
【発明が解決しようとする課題】
【０００６】
しかしながら、上記従来の技術では、ディスクの表面にラベルとして印刷するのに最適な、ディスクに記録された動画像の内容をよく表す１枚の静止画像を、膨大な動画像の中からユーザーが選択する必要がある。
【０００７】
また上記特許文献２に記載された技術では、画像に含まれる被写体である人物の顔の部分がディスクの孔の部分に配置されないようにトリミングするために、ディスクの表面上のバランスが悪い位置に人物の顔が配置されるおそれがある。
【０００８】
本発明の目的は、ディスクの表面にラベルとして印刷するのに最適な画像を自動的に抽出することができる画像処理装置を提供することにある。
【課題を解決するための手段】
【０００９】
上述の目的を達成するために、請求項１記載の画像処理装置は、複数のフレームからなる動画像から円形の記録媒体のための印刷データを生成する画像処理装置において、前記動画像の前記複数のフレームから被写体の位置が前記円形の記録媒体の印刷可能な範囲にあるフレームを抽出する抽出手段と、前記抽出されたフレームから前記印刷可能な範囲の画像を切り出す切り出し手段とを備えることを特徴とする。
【００１０】
上述の目的を達成するために、請求項７記載の制御方法は、複数のフレームからなる動画像から円形の記録媒体のための印刷データを生成する画像処理装置の制御方法において、前記動画像の前記複数のフレームから被写体の位置が前記円形の記録媒体の印刷可能な範囲にあるフレームを抽出する抽出ステップと、前記抽出されたフレームから前記印刷可能な範囲の画像を切り出す切り出しステップとを備えることを特徴とする。
【００１１】
上述の目的を達成するために、請求項８記載のプログラムは、複数のフレームからなる動画像から円形の記録媒体のための印刷データを生成する画像処理装置の制御方法をコンピュータに実行させるプログラムにおいて、前記制御方法は、前記動画像の前記複数のフレームから被写体の位置が前記円形の記録媒体の印刷可能な範囲にあるフレームを抽出する抽出ステップと、前記抽出されたフレームから前記印刷可能な範囲の画像を切り出す切り出しステップとを備えることを特徴とする。
【００１２】
上述の目的を達成するために、請求項９記載のコンピュータで読み取り可能な記憶媒体は、請求項８記載のプログラムを格納することを特徴とする。
【発明の効果】
【００１３】
本発明によれば、動画像の複数のフレームから被写体の位置が円形の記録媒体の印刷可能な範囲にあるフレームを抽出するので、ディスクの表面にラベルとして印刷するのに最適な画像を自動的に抽出することができる。
【００１４】
また、顔の位置が印刷可能な範囲の中心より上にあるフレームを抽出するので、バランスの良い位置に被写体である人物の顔が配置されるようにディスクの表面に印刷する画像をトリミングすることができる。
【図面の簡単な説明】
【００１５】
【図１】図１は、本発明の第１の実施の形態に係る画像処理装置が搭載された機器の一例を示す図であり、（ａ）はＨＤＤ＆ＤＶＤレコーダを示し、（ｂ）はＰＣを示す。
【図２】図１のＨＤＤ＆ＤＶＤレコーダ１１に搭載された画像処理装置の内部構成を示すブロック図である。
【図３】図２における制御＆判定回路２４によって実行される画像抽出処理を説明する図である。
【図４】図２における制御＆判定回路２４によって実行される画像抽出処理のフローチャートである。
【図５】本発明の第２の実施の形態の画像抽出処理を説明する図である。
【図６】本発明の第３の実施の形態の画像抽出処理を説明する図であり、（ａ）は顔が外円から内円の範囲に配置されるように画像をトリミングする処理を示し、（ｂ）は目の位置がＤＶＤの垂直位置の中心より上になるように画像をトリミングする処理を示す。
【発明を実施するための形態】
【００１６】
以下、本発明の実施の形態を図面を参照しながら詳述する。
【００１７】
［第１の実施の形態］
図１は、本発明の第１の実施の形態に係る画像処理装置が搭載された機器の一例を示す図であり、（ａ）はＨＤＤ＆ＤＶＤレコーダを示し、（ｂ）はＰＣを示す。
【００１８】
図１（ａ）において、本実施の形態に係る画像処理装置は、ＨＤＤ＆ＤＶＤレコーダ１１の内部に搭載され、円形の記録媒体としてのＤＶＤのラベル印刷用の印刷データを生成する。本実施の形態では、ＨＤＤ＆ＤＶＤレコーダ１１のＨＤＤやメモリに録画された映像からＤＶＤを作成し、そのＤＶＤに収められた映像から抽出された画像を円形のＤＶＤの表面にラベル印刷する例について説明する。
【００１９】
なお、本実施の形態に係る画像処理装置は、図１（ｂ）に示すように、ＰＣ１２の内部に搭載されていてもよい。この場合、画像処理装置は、ＰＣ１２のＨＤＤに保存された動画データからＤＶＤを作成するアプリケーションによって、ＨＤＤ＆ＤＶＤレコーダ１１の場合と同様の手順でラベル印刷用の印刷データを生成することができる。また、ＰＣ１２の場合は、ＰＣ１２に直接接続されたプリンタ１３から円形のＤＶＤにラベル印刷することも可能である。
【００２０】
また、本実施の形態では、円形の記録媒体としてＤＶＤのラベル印刷用の印刷データを生成する例について説明するが、ラベル印刷を行う円形の記録媒体はＤＶＤに限るものではなく、ＣＤ−ＲＯＭ等、他の記録媒体であってもよい。
【００２１】
図２は、図１のＨＤＤ＆ＤＶＤレコーダ１１に搭載された画像処理装置の内部構成を示すブロック図である。
【００２２】
図２において、画像処理装置２０は、ＨＤＤ（ハードディスクドライブ）２１、動画再生回路２２、顔検出回路２３、制御＆判定回路２４、ディスク参照データ２５、及び画像抽出処理回路２６を備える。
【００２３】
ＨＤＤ２１は、動画ファイルを記録している。動画再生回路２２は、ＨＤＤ２１に記録されている動画ファイルから動画像を再生する。顔検出回路２３は、再生された動画像の中から被写体である人物の顔を検索する。ディスク参照データ２５は、円形のＤＶＤの外円及び内円の位置等の情報を含む。ＤＶＤの外円及び内円の位置の情報は、ＤＶＤの種類によって変化し、ＤＶＤの表面における印刷可能な範囲を示す。
【００２４】
画像抽出処理回路２６は、ディスクのラベル印刷用の画像を抽出して保持する。制御＆判定回路２４は、動画再生回路２２及び画像抽出回路２６を制御して、後述する画像抽出処理を実行する。
【００２５】
図３は、図２における制御＆判定回路２４によって実行される画像抽出処理を説明する図である。
【００２６】
図３において、ＨＤＤ２１に記録された動画ファイル３１は、フレーム３３ａ〜ｄを含む複数のフレームからなる連続した動画ファイルである。
【００２７】
フレーム３３ａ〜ｄは、それぞれ、フレームナンバーＮ−２，Ｎ−１，Ｎ，Ｎ＋１のフレームである。フレーム３３ａ〜ｄにおいて、外円３４から内円３５の範囲の画像がＤＶＤの表面に印刷される。パラメータ３２ａ，３２ｂは、フレーム３３ａ〜ｄ内の画像に含まれる被写体である人物の顔の大きさを示す。
【００２８】
図４は、図２における制御＆判定回路２４によって実行される画像抽出処理のフローチャートである。
【００２９】
図４において、まず、制御＆判定回路２４は、動画再生回路２２を制御してＨＤＤ２１に記録されている動画ファイルから動画像を再生する（ステップＳ４２）。再生された動画像は、顔検出回路２３へ送られる。顔検出回路２３は、動画像の中から被写体である人物の顔を検索し、検索したフレームのフレームナンバー（タイムコードでもよい）、及びそのフレームに含まれる被写体である人物の顔の大きさを示すパラメータを制御＆判定回路２４へ出力する。
【００３０】
制御＆判定回路２４は、顔検出回路２３が出力したパラメータから動画像に被写体である人物の顔が含まれていると判断すると、そのフレームの主役の顔が一定値より大きいか否かを判別する（ステップＳ４３）。
【００３１】
ここで、動画像内に複数の人物の顔が存在する場合、制御＆判定回路２４は、人物の顔の大きさのパラメータに基づいて、一番大きい顔を主役の顔であると判断するものとする。また、あらかじめ主役の顔を登録し、この登録された顔と一致した場合に主役の顔であると判断するようにしてもよい。
【００３２】
また、ここで、一定値とはＤＶＤに印刷するのに適した顔の大きさとする。例えば、ディスク参照データ２５に記憶されたＤＶＤの外円から内円の範囲の大きさ以下であり、かつ、外円から内円の範囲の大きさの半分より大きい主役の顔が存在するフレームが抽出される。この一定値は、ユーザーが指定可能である。
【００３３】
ステップＳ４３の判別の結果、フレームの主役の顔が一定値より大きいときは、制御＆判定回路２４は、動画再生回路２２を制御し、そのフレームの前後数フレームを検索する（ステップＳ４４）。
【００３４】
一方、ステップＳ４３の判別の結果、フレームの主役の顔が一定値以下であるときは、ステップＳ４２に戻る。
【００３５】
例えば、図３に示すように、ＳＴＡＲＴからＳＴＯＰまでの連続した動画ファイル３１の中から、ＡからＢの範囲で主役の顔を検出した場合に、主役の顔としてパラメータ３２ａに示される顔を含むフレームナンバーＮ−１のフレームが抽出される。この場合、制御＆判定回路２４は、フレームナンバーＮ−１からコマ送り再生を行うように動画再生回路２２を制御する。
【００３６】
主役の顔の検索は、図３のＳＴＡＲＴ位置から正方向に行うため、フレームナンバーＮ−１で初めて主役の顔を含むフレームが抽出され、フレームナンバーＮ−１のフレームから正方向にコマ送りする。なお、ＥＮＤ位置から逆方向に主役の顔の検索を行い、フレームナンバーＮ−１のフレームからフレームナンバーＮ−２の方向にコマ送りしてもよい。また、抽出速度の改善のため、正方向に数フレーム毎に主役の顔を検索する場合は、フレームナンバーＮ−１のフレームより少し前のフレームからコマ送りしてもよい。
【００３７】
また、ここでは動画ファイルを再生して人物の顔を検索しているが、ビデオカメラなどでは、撮影時に人物の顔を検出し、そのパラメータをメタデータとして動画ファイルの各フレームに記録しているものもある。この場合、制御＆判定回路２４は、動画ファイルを再生することなく、メタデータに基づいてＤＶＤラベル印刷に適したサイズの主役の顔を検索することが可能である。
【００３８】
次に、制御＆判定回路２４は、コマ送りしている各フレームにおいて、主役の顔が即ち外円から内円の範囲にあり且つ他の顔が同時に外円から内円の範囲にあるか否かを判別する（ステップＳ４５）。
【００３９】
ステップＳ４５の判別の結果、主役の顔が外円から内円の範囲にあり且つ他の顔が同時に外円から内円の範囲にあるときは、主役の顔及び他の顔が同時に印刷可能な範囲にあるので、ステップＳ４６に進む。ステップＳ４６では、制御＆判定回路２４は、画像抽出処理回路２６を制御してそのフレームをラベル印刷用の画像として抽出する。その後、制御＆判定回路２４は、本処理を終了する。
【００４０】
一方、ステップＳ４５の判別の結果、主役の顔又は他の顔が外円から内円の範囲にないときは、主役の顔又は他の顔が印刷可能な範囲にないので、ステップＳ４４に戻る。
【００４１】
図３では、フレームナンバーＮのフレーム３３ｃにおいて、パラメータ３２ａが示す主役の顔が外円３４から内円３５の範囲にあり、且つパラメータ３２ｂが示す他の顔が同時に外円３４から内円３５の範囲にある。即ち、主役の顔及び他の顔が同時に印刷可能な範囲にある。
【００４２】
制御＆判定回路２４は、画像抽出処理回路２６にフレーム３３ｃをラベル印刷用の画像として抽出する指示を出す。画像抽出処理回路２６は、フレーム３３ｃをラベル印刷用の画像として保持する。
【００４３】
本処理によれば、ディスクの表面にラベルとして印刷するのに最適な画像を自動的に抽出することができる。
【００４４】
なお、他の顔が複数ある場合は、すべての顔が外円から内円の範囲にあるフレームを抽出してもよい。また、あらかじめ登録された顔のみが外円から内円の範囲にあるフレームを抽出してもよい。また、外円から内円の範囲にあるかを判定すべき顔をユーザーが指定することも可能である。
【００４５】
［第２の実施の形態］
第１の実施の形態では、被写体である人物の顔の位置が外円から内円の範囲にあるフレームを抽出するので、被写体である人物の顔がＤＶＤの下のエリアに配置される画像が抽出される場合がある。この場合、被写体である人物の体が印刷されず、バランスの悪いラベル印刷用の印刷データを生成してしまうことになる。そこで、第２の実施の形態では、被写体である人物の顔のパラメータに含まれる目の位置情報を用いて、被写体である人物の顔がＤＶＤの上のエリアに配置される画像の抽出を行う。
【００４６】
図５は、本発明の第２の実施の形態の画像抽出処理を説明する図である。
【００４７】
図５において、パラメータ５１はＤＶＤの垂直位置の中心を示し、パラメータ５２は主役の顔における目の位置を示す。
【００４８】
顔検出回路２３は、動画像の中から被写体である人物の顔を検索し、検索したフレームのフレームナンバー、及びそのフレームに含まれる被写体である人物の顔の大きさを示すパラメータに加えて、目の位置を示すパラメータを制御＆判定回路２４へ出力する。
【００４９】
また、制御＆判定回路２４は、フレームの主役の顔が一定値より大きいか否かを判別すると共に、主役の目の位置がＤＶＤの垂直位置の中心より上にあるか否かを判別する。
【００５０】
例えば、制御＆判定回路２４は、図５に示すように、パラメータ３２ａが示す主役の顔の目の位置５２がＤＶＤの垂直位置の中心５１より上にあるフレームをラベル印刷用の画像として抽出する。
【００５１】
本処理によれば、バランスの良い位置に被写体である人物の顔が配置されるようにディスクの表面に印刷する画像をトリミングすることができる。
【００５２】
なお、図５では、パラメータ３２ｂが示す他の顔の目の位置がＤＶＤの垂直位置の中心５１より下にあるが、主役及び他の顔の目の位置が同時にＤＶＤの垂直位置の中心より上にあるフレームをラベル印刷用の画像として抽出するようにしてもよい。
【００５３】
また、本実施の形態では、主役の目の位置がＤＶＤの垂直位置の中心より上にあるフレームをラベル印刷用の画像として抽出するとしたが、抽出する画像の条件はこれに限られるものではない。抽出する画像の条件は、複数のパラメータを組み合わせた条件であってもよく、ユーザーが指定可能であってもよい。
【００５４】
［第３の実施の形態］
第１の実施の形態では、被写体である人物の顔が外円から内円の範囲にあるフレームを検索したが、被写体である人物の顔の位置が最適であってもその顔の表情がよくない場合がある。そこで、第３の実施の形態では、被写体である人物の顔の表情が笑顔である画像の抽出を行う。
【００５５】
制御＆判定回路２４は、主役の顔と他の顔の表情が同時に笑顔である画像を図３のＡからＢの間でコマ送りして検索する。この場合、抽出された画像では、主役の顔又は他の顔が外円から内円の範囲にない場合がある。画像抽出処理回路２６は、図６に示すように、画像の位置の変更や、拡大、縮小を行うことによりディスクラベルに最適な画像としてトリミングする。
【００５６】
図６は、本発明の第３の実施の形態の画像抽出処理を説明する図であり、（ａ）は顔が外円から内円の範囲に配置されるように画像をトリミングする処理を示し、（ｂ）は目の位置がＤＶＤの垂直位置の中心より上になるように画像をトリミングする処理を示す。
【００５７】
図６（ａ）において、パラメータ３２ａが示す主役の顔とパラメータ３２ｂが示す他の顔の表情が同時に笑顔であるが、パラメータ３２ｂが示す他の顔が内円３５の中に配置されている。
【００５８】
そこで、画像抽出処理回路２６は、画像を縮小し、画像の位置を変更することにより、パラメータ３２ａが示す主役の顔とパラメータ３２ｂが示す他の顔が同時に外円３４から内円３５の範囲に配置されるように画像をトリミングする。
【００５９】
本処理によれば、バランスの良い位置に被写体である人物の顔が配置されるようにディスクの表面に印刷する画像をトリミングすることができる。
【００６０】
図６（ｂ）において、パラメータ３２ａが示す主役の顔とパラメータ３２ｂが示す他の顔の表情が同時に笑顔であるが、パラメータ３２ｂが示す他の顔が外円３４の外に配置されている。
【００６１】
そこで、画像抽出処理回路２６は、パラメータ３２ａが示す主役の顔とパラメータ３２ｂが示す他の顔が同時に外円３４から内円３５の範囲に配置されると共に、主役の顔の目の位置５２がＤＶＤの垂直位置の中心５１より上になるように画像をトリミングする。
【００６２】
本処理によれば、さらにバランスの良い位置に被写体である人物の顔が配置されるようにディスクの表面に印刷する画像をトリミングすることができる。
【００６３】
なお、画像の位置の変更や、拡大、縮小の作業の必要がなるべく少ないフレームを検索することにより、トリミングの処理負荷を軽減することが可能である。
【００６４】
なお、第１〜第３の実施の形態において、ＤＶＤのラベル印刷用に最適な画像を抽出する方法を述べてきたが、ラベル印刷用に最適な画像は１つとは限らない。そのため、画像抽出処理回路２６で保存される画像は複数であってもよく、自動的に抽出した複数の画像を印刷候補として順位付けしてもよい。また、抽出した複数の画像からラベル印刷用の画像をユーザーに選択させるようにしてもよい。
【００６５】
また、本発明の目的は、以下の処理を実行することによって達成される。即ち、上述した実施形態の機能を実現するソフトウェアのプログラムコードを格納した記憶媒体を、システム或いは装置に供給し、そのシステム或いは装置のコンピュータ（またはＣＰＵやＭＰＵ等）が記憶媒体に格納されたプログラムコードを読み出す処理である。
【００６６】
この場合、記憶媒体から読み出されたプログラムコード自体が前述した実施の形態の機能を実現することになり、そのプログラムコード及び該プログラムコードを格納した記憶媒体は本発明を構成することになる。
【００６７】
また、プログラムコードを格納した記憶媒体としては、次のものを用いることができる。例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等である。または、プログラムコードをネットワークを介してダウンロードしてもよい。
【００６８】
また、コンピュータが読み出したプログラムコードを実行することにより、上記実施の形態の機能が実現される場合も本発明に含まれる。加えて、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【００６９】
更に、前述した実施形態の機能が以下の処理によって実現される場合も本発明に含まれる。即ち、記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部または全部を行う場合である。
【符号の説明】
【００７０】
２０  画像処理装置
２１  ＨＤＤ
２２  動画再生回路
２３  顔検出回路
２４  制御＆判定回路
２５  ディスク参照データ
２６  画像抽出処理回路
【図１】
2010161622.tif 000003
【図２】
2010161622.tif 000004
【図３】
2010161622.tif 000005
【図４】
2010161622.tif 000006
【図５】
2010161622.tif 000007
【図６】
2010161622.tif 000008